(57)【要約】【課題】複数枚重ねられたディスクが無理に挿入されたときでも性能を維持することができるディスク挿排装置を備えたディスク装置を提供すること。【解決手段】ディスク装置は、ディスク挿排装置１０を備え、ディスク挿排装置１０は、ディスク２００に接触可能である接触部分４２ａ、４２ｂを有しディスク２００の挿排方向と略直交する矢印１２で示す方向へのディスク２００の移動を規制するディスクガイド部材４０と、ディスク２００に接触可能である接触部分５１、５６を有し矢印１１で示す方向へのディスク２００の移動を規制するディスク移動規制部材５０、５５と、ディスクガイド部材４０に対してディスク移動規制部材５０、５５を矢印１１、１２で示す方向に移動可能に支持した基台３０と、矢印１２で示す方向にディスク移動規制部材５０、５５を付勢する弾性部１１３、１１８とを備える。【選択図】  図２
2005018889.tif 000002
【特許請求の範囲】
【請求項１】
ディスクに接触可能である第１接触部分を有し前記ディスクの挿排方向と略直交する第１方向への前記ディスクの移動を前記第１接触部分によって規制する第１ディスク規制部材と、前記ディスクに接触可能である第２接触部分を有し前記第１方向とは反対の第２方向への前記ディスクの移動を前記第２接触部分によって規制する第２ディスク規制部材と、前記第１ディスク規制部材に対して前記第２ディスク規制部材を前記第１方向及び前記第２方向に移動可能に支持したディスク規制部材支持手段と、前記第１方向に前記第２ディスク規制部材を付勢するディスク規制部材付勢手段とを備えたことを特徴とするディスク挿排装置。
【請求項２】
前記第２接触部分は、前記第１接触部分との間に前記ディスクが存在しない状態のときに前記第１接触部分から前記第２方向に前記ディスクの１枚分の厚み以上前記ディスクの複数枚分の厚み未満離れて配置されたことを特徴とする請求項１に記載のディスク挿排装置。
【請求項３】
前記ディスクを前記挿排方向に案内する案内部を備え、
前記第１接触部分及び前記案内部は、単一の部材によって構成されたことを特徴とする請求項１に記載のディスク挿排装置。
【請求項４】
前記第１接触部分を形成する面及び前記第２接触部分を形成する面の少なくとも一方の面の法線方向は、前記第１方向及び前記第２方向とは異なる方向であることを特徴とする請求項１に記載のディスク挿排装置。
【請求項５】
前記ディスクに接触可能である第３接触部分を有し前記第３接触部分によって前記ディスクを前記挿排方向に搬送する搬送部材と、前記ディスク規制部材付勢手段が前記第２ディスク規制部材を付勢する力を変更するディスク規制付勢力変更手段とを備え、
前記ディスク規制付勢力変更手段は、前記搬送部材が前記ディスクを搬出する状態のときに前記ディスク規制部材付勢手段が前記第２ディスク規制部材を付勢する力を、前記搬送部材が前記ディスクを搬入する状態のときに前記ディスク規制部材付勢手段が前記第２ディスク規制部材を付勢する力より小さくすることを特徴とする請求項１に記載のディスク挿排装置。
【請求項６】
前記ディスクに接触可能である第３接触部分を有し前記第３接触部分によって前記ディスクを前記挿排方向に搬送する搬送部材を備え、
前記第２接触部分は、前記第３接触部分に対して前記ディスクの搬入方向側に配置されたことを特徴とする請求項１に記載のディスク挿排装置。
【請求項７】
前記ディスクに接触可能である第３接触部分を有し前記第３接触部分によって前記ディスクを前記挿排方向に搬送する搬送部材と、前記搬送部材を前記第１方向及び前記第２方向に移動可能に支持した搬送部材支持手段と、前記搬送部材に接触可能であり前記第２方向への前記搬送部材の移動を規制する搬送部材規制部材と、前記第１ディスク規制部材に対して前記搬送部材規制部材を前記第１方向及び前記第２方向に移動可能に支持した搬送部材規制部材支持手段と、前記第１方向に前記搬送部材規制部材を付勢する搬送部材規制部材付勢手段とを備え、
前記第３接触部分は、前記第１接触部分及び前記第２接触部分の間に存在する前記ディスクに対して前記第２方向側に配置されたことを特徴とする請求項１に記載のディスク挿排装置。
【請求項８】
前記搬送部材規制部材は、前記搬送部材に接触可能である第４接触部分を有し、
前記搬送部材は、前記第４接触部分に接触可能である第５接触部分を有し、
前記第１接触部分及び前記第３接触部分の間に前記ディスクが存在しない状態のときに前記第４接触部分は、前記第１接触部分及び前記第３接触部分の間に前記ディスクが存在しない状態から前記第１接触部分及び前記第３接触部分の間に１枚の前記ディスクが存在する状態までの前記第２方向への前記第５接触部分の移動量以上、前記第１接触部分及び前記第３接触部分の間に前記ディスクが存在しない状態から前記第１接触部分及び前記第３接触部分の間に複数枚重ねられた前記ディスクが存在する状態までの前記第２方向への前記第５接触部分の移動量未満、前記第２方向に前記第５接触部分から離れて配置されたことを特徴とする請求項７に記載のディスク挿排装置。
【請求項９】
前記第３接触部分は、前記搬入方向に移動させられた前記ディスクと前記第２接触部分との接触が解除されたときの前記ディスクと接触する位置に配置されたことを特徴とする請求項７に記載のディスク挿排装置。
【請求項１０】
前記搬送部材規制部材付勢手段が前記搬送部材規制部材を付勢する力を変更する搬送部材規制付勢力変更手段を備え、
前記搬送部材規制付勢力変更手段は、前記搬送部材が前記ディスクを搬出する状態のときに前記搬送部材規制部材付勢手段が前記搬送部材規制部材を付勢する力を、前記搬送部材が前記ディスクを搬入する状態のときに前記搬送部材規制部材付勢手段が前記搬送部材規制部材を付勢する力より小さくすることを特徴とする請求項７に記載のディスク挿排装置。
【請求項１１】
前記ディスク規制部材付勢手段及び前記搬送部材規制部材付勢手段は、単一の弾性部材によって構成されたことを特徴とする請求項７に記載のディスク挿排装置。
【請求項１２】
前記弾性部材が前記第２ディスク規制部材及び前記搬送部材規制部材を付勢する力を変更する規制付勢力変更手段を備え、
前記規制付勢力変更手段は、前記搬送部材が前記ディスクを搬出する状態のときに、前記搬送部材が前記ディスクを搬入する状態のときより、前記弾性部材を前記第２方向に移動させることを特徴とする請求項１１に記載のディスク挿排装置。
【請求項１３】
前記ディスクに接触可能である第３接触部分を有し前記第３接触部分によって前記ディスクを前記挿排方向に搬送する搬送部材と、前記第１ディスク規制部材に対して前記搬送部材を前記第１方向及び前記第２方向に移動可能に支持した搬送部材支持手段と、前記第１方向に前記搬送部材を付勢する搬送部材付勢手段と、前記搬送部材に接触する搬送部材接触部分を有し前記搬送部材接触部分によって前記搬送部材に回転力を供給する回転力供給部とを備え、
前記搬送部材は、前記回転力供給部の前記搬送部材接触部分に接触する供給部接触部分を有し、
前記第３接触部分は、前記第１接触部分及び前記第２接触部分の間に存在する前記ディスクに対して前記第２方向側に配置され、
前記搬送部材接触部分は、前記供給部接触部分に対して前記ディスクの搬入方向側に配置されたことを特徴とする請求項１に記載のディスク挿排装置。
【請求項１４】
前記ディスクに接触可能である第３接触部分を有し前記第３接触部分によって前記ディスクを前記挿排方向に搬送する搬送部材と、前記搬送部材による前記ディスクの搬入動作が所定の時間以上続いたときに前記搬送部材に前記ディスクの搬入を停止させる搬送制御手段とを備えたことを特徴とする請求項１に記載のディスク挿排装置。
【請求項１５】
前記ディスクに接触可能である第３接触部分を有し前記第３接触部分によって前記ディスクを前記挿排方向に搬送する搬送部材と、前記搬送部材による前記ディスクの搬入動作が所定の時間以上続いたときに前記搬送部材に前記ディスクの搬入を停止させて前記搬送部材に前記ディスクを搬出させる搬送制御手段とを備えたことを特徴とする請求項１に記載のディスク挿排装置。
【請求項１６】
請求項１から請求項１５までの何れかに記載のディスク挿排装置を備えたことを特徴とするディスク装置。
【発明の詳細な説明】
【０００１】
【発明の属する技術分野】
本発明は、複数枚重ねられたディスクの挿入を防止するディスク挿排装置を備えたディスク装置に関する。
【０００２】
【従来の技術】
従来、複数枚重ねられたディスクの挿入を防止するディスク挿排装置として、ディスクが挿入される開口部に上側ガイド及び下側ガイドを配置して上側ガイドと下側ガイドとでディスクの厚み方向にディスクの移動を規制することによって、２枚重ねられたディスクの挿入を防止するものが知られている（例えば、特許文献１参照。）。
【０００３】
【特許文献１】
特開２００１−３１２８５０号公報（第６頁、第７、９図）
【０００４】
【発明が解決しようとする課題】
しかしながら、上述した従来のディスク挿排装置においては、２枚重ねられたディスクが上側ガイドの耐力又は下側ガイドの耐力以上の力で無理に挿入されると、上側ガイド又は下側ガイドに永久変形が生じるので、２枚重ねられたディスクの挿入を防止する性能が低下するという問題が有った。
【０００５】
そこで、本発明は、複数枚重ねられたディスクが無理に挿入されたときでも性能を維持することができるディスク挿排装置を備えたディスク装置を提供することを目的とする。
【０００６】
【課題を解決するための手段】
上述した課題を解決するために、本発明のディスク挿排装置は、ディスクに接触可能である第１接触部分を有し前記ディスクの挿排方向と略直交する第１方向への前記ディスクの移動を前記第１接触部分によって規制する第１ディスク規制部材と、前記ディスクに接触可能である第２接触部分を有し前記第１方向とは反対の第２方向への前記ディスクの移動を前記第２接触部分によって規制する第２ディスク規制部材と、前記第１ディスク規制部材に対して前記第２ディスク規制部材を前記第１方向及び前記第２方向に移動可能に支持したディスク規制部材支持手段と、前記第１方向に前記第２ディスク規制部材を付勢するディスク規制部材付勢手段とを備えた構成を有している。
【０００７】
この構成により、本発明のディスク挿排装置は、第２ディスク規制部材が第１方向に付勢されながら第１方向とは反対の第２方向に移動可能であるので、複数枚重ねられたディスクが無理に挿入されたときでも、第１ディスク規制部材及び第２ディスク規制部材に永久変形が生じることを防止することができ、複数枚重ねられたディスクの挿入を防止する性能を維持することができる。
【０００８】
また、本発明のディスク挿排装置は、前記第２接触部分は、前記第１接触部分との間に前記ディスクが存在しない状態のときに前記第１接触部分から前記第２方向に前記ディスクの１枚分の厚み以上前記ディスクの複数枚分の厚み未満離れて配置された構成を有している。
【０００９】
この構成により、本発明のディスク挿排装置は、１枚のディスクが挿入されたときに第１接触部分及び第２接触部分によって同時にディスクの厚み方向にディスクに負荷を与えないので、１枚のディスクが挿入されたときに第１接触部分及び第２接触部分によって同時にディスクの厚み方向にディスクに負荷を与える場合と比較して、１枚のディスクの挿入に必要な力を低減することができる。
【００１０】
また、本発明のディスク挿排装置は、前記ディスクを前記挿排方向に案内する案内部を備え、前記第１接触部分及び前記案内部は、単一の部材によって構成された構成を有している。
【００１１】
この構成により、本発明のディスク挿排装置は、第１接触部分と案内部とが別々の部材によって構成される場合と比較して、部品点数を低減することができる。
【００１２】
また、本発明のディスク挿排装置は、前記第１接触部分を形成する面及び前記第２接触部分を形成する面の少なくとも一方の面の法線方向は、前記第１方向及び前記第２方向とは異なる方向である構成を有している。
【００１３】
この構成により、本発明のディスク挿排装置は、第１接触部分を形成する面の法線方向及び第２接触部分を形成する面の法線方向が第１方向及び第２方向と同一の方向である場合と比較して、第１接触部分及び第２接触部分の少なくとも一方と、挿入されたディスクとが接触する面積を減少させることができるので、挿入されたディスクを損傷する可能性を低減することができる。
【００１４】
また、本発明のディスク挿排装置は、前記ディスクに接触可能である第３接触部分を有し前記第３接触部分によって前記ディスクを前記挿排方向に搬送する搬送部材と、前記ディスク規制部材付勢手段が前記第２ディスク規制部材を付勢する力を変更するディスク規制付勢力変更手段とを備え、前記ディスク規制付勢力変更手段は、前記搬送部材が前記ディスクを搬出する状態のときに前記ディスク規制部材付勢手段が前記第２ディスク規制部材を付勢する力を、前記搬送部材が前記ディスクを搬入する状態のときに前記ディスク規制部材付勢手段が前記第２ディスク規制部材を付勢する力より小さくする構成を有している。
【００１５】
この構成により、本発明のディスク挿排装置は、搬送部材がディスクを搬出する状態のときにディスク規制部材付勢手段が第２ディスク規制部材を付勢する力を、搬送部材がディスクを搬入する状態のときにディスク規制部材付勢手段が第２ディスク規制部材を付勢する力と同じ大きさにする場合と比較して、搬送部材によるディスクの搬出に必要な力を低減することができ、より確実にディスクを搬出することができる。
【００１６】
また、本発明のディスク挿排装置は、前記ディスクに接触可能である第３接触部分を有し前記第３接触部分によって前記ディスクを前記挿排方向に搬送する搬送部材を備え、前記第２接触部分は、前記第３接触部分に対して前記ディスクの搬入方向側に配置された構成を有している。
【００１７】
この構成により、本発明のディスク挿排装置は、第１接触部分及び第２接触部分に対するディスクの傾きを第３接触部分によって矯正した後で第１接触部分及び第２接触部分の間にディスクを存在させるので、第１接触部分及び第２接触部分の間にディスクを存在させる前に第１接触部分及び第２接触部分に対するディスクの傾きを矯正しない場合と比較して、操作性を向上することができる。
【００１８】
また、本発明のディスク挿排装置は、前記ディスクに接触可能である第３接触部分を有し前記第３接触部分によって前記ディスクを前記挿排方向に搬送する搬送部材と、前記搬送部材を前記第１方向及び前記第２方向に移動可能に支持した搬送部材支持手段と、前記搬送部材に接触可能であり前記第２方向への前記搬送部材の移動を規制する搬送部材規制部材と、前記第１ディスク規制部材に対して前記搬送部材規制部材を前記第１方向及び前記第２方向に移動可能に支持した搬送部材規制部材支持手段と、前記第１方向に前記搬送部材規制部材を付勢する搬送部材規制部材付勢手段とを備え、前記第３接触部分は、前記第１接触部分及び前記第２接触部分の間に存在する前記ディスクに対して前記第２方向側に配置された構成を有している。
【００１９】
この構成により、本発明のディスク挿排装置は、第１接触部分と第２接触部分とによってだけでなく、第１接触部分と第３接触部分とによっても複数枚重ねられたディスクの挿入を防止することができるので、第１接触部分と第２接触部分とによってだけ複数枚重ねられたディスクの挿入を防止することができる場合と比較して、複数枚重ねられたディスクの挿入をより確実に防止することができる。また、本発明のディスク挿排装置は、搬送部材規制部材が第１方向に付勢されながら第１方向とは反対の第２方向に移動可能であるので、複数枚重ねられたディスクが無理に挿入されたときでも、第１ディスク規制部材、搬送部材及び搬送部材規制部材に永久変形が生じることを防止することができ、複数枚重ねられたディスクの挿入を防止する性能を維持することができる。
【００２０】
また、本発明のディスク挿排装置は、前記搬送部材規制部材は、前記搬送部材に接触可能である第４接触部分を有し、前記搬送部材は、前記第４接触部分に接触可能である第５接触部分を有し、前記第１接触部分及び前記第３接触部分の間に前記ディスクが存在しない状態のときに前記第４接触部分は、前記第１接触部分及び前記第３接触部分の間に前記ディスクが存在しない状態から前記第１接触部分及び前記第３接触部分の間に１枚の前記ディスクが存在する状態までの前記第２方向への前記第５接触部分の移動量以上、前記第１接触部分及び前記第３接触部分の間に前記ディスクが存在しない状態から前記第１接触部分及び前記第３接触部分の間に複数枚重ねられた前記ディスクが存在する状態までの前記第２方向への前記第５接触部分の移動量未満、前記第２方向に前記第５接触部分から離れて配置された構成を有している。
【００２１】
この構成により、本発明のディスク挿排装置は、１枚のディスクが挿入されたときに第４接触部分によってディスクの厚み方向に搬送部材に負荷を与えないので、１枚のディスクが挿入されたときに第４接触部分によってディスクの厚み方向に搬送部材に負荷を与える場合と比較して、１枚のディスクの挿入に必要な力を低減することができる。
【００２２】
また、本発明のディスク挿排装置は、前記第３接触部分は、前記搬入方向に移動させられた前記ディスクと前記第２接触部分との接触が解除されたときの前記ディスクと接触する位置に配置された構成を有している。
【００２３】
この構成により、本発明のディスク挿排装置は、搬入方向に移動させられたディスクと第２接触部分との接触が解除されたときでも、第１接触部分と第３接触部分とによって複数枚重ねられたディスクの挿入を防止することができる。
【００２４】
また、本発明のディスク挿排装置は、前記搬送部材規制部材付勢手段が前記搬送部材規制部材を付勢する力を変更する搬送部材規制付勢力変更手段を備え、前記搬送部材規制付勢力変更手段は、前記搬送部材が前記ディスクを搬出する状態のときに前記搬送部材規制部材付勢手段が前記搬送部材規制部材を付勢する力を、前記搬送部材が前記ディスクを搬入する状態のときに前記搬送部材規制部材付勢手段が前記搬送部材規制部材を付勢する力より小さくする構成を有している。
【００２５】
この構成により、本発明のディスク挿排装置は、搬送部材がディスクを搬出する状態のときに搬送部材規制部材付勢手段が搬送部材規制部材を付勢する力を、搬送部材がディスクを搬入する状態のときに搬送部材規制部材付勢手段が搬送部材規制部材を付勢する力と同じ大きさにする場合と比較して、搬送部材によるディスクの搬出に必要な力を低減することができ、より確実にディスクを搬出することができる。
【００２６】
また、本発明のディスク挿排装置は、前記ディスク規制部材付勢手段及び前記搬送部材規制部材付勢手段は、単一の弾性部材によって構成された構成を有している。
【００２７】
この構成により、本発明のディスク挿排装置は、ディスク規制部材付勢手段と搬送部材規制部材付勢手段とが別々の弾性部材によって構成される場合と比較して、部品点数を低減することができる。
【００２８】
また、本発明のディスク挿排装置は、前記弾性部材が前記第２ディスク規制部材及び前記搬送部材規制部材を付勢する力を変更する規制付勢力変更手段を備え、前記規制付勢力変更手段は、前記搬送部材が前記ディスクを搬出する状態のときに、前記搬送部材が前記ディスクを搬入する状態のときより、前記弾性部材を前記第２方向に移動させる構成を有している。
【００２９】
この構成により、本発明のディスク挿排装置は、ディスク規制部材付勢手段が第２ディスク規制部材を付勢する力を変更する構成と、搬送部材規制部材付勢手段が搬送部材規制部材を付勢する力を変更する構成とを別々に備える場合と比較して、ディスク規制部材付勢手段が第２ディスク規制部材を付勢する力と、搬送部材規制部材付勢手段が搬送部材規制部材を付勢する力とを簡単な構成で変更することができる。
【００３０】
また、本発明のディスク挿排装置は、前記ディスクに接触可能である第３接触部分を有し前記第３接触部分によって前記ディスクを前記挿排方向に搬送する搬送部材と、前記第１ディスク規制部材に対して前記搬送部材を前記第１方向及び前記第２方向に移動可能に支持した搬送部材支持手段と、前記第１方向に前記搬送部材を付勢する搬送部材付勢手段と、前記搬送部材に接触する搬送部材接触部分を有し前記搬送部材接触部分によって前記搬送部材に回転力を供給する回転力供給部とを備え、前記搬送部材は、前記回転力供給部の前記搬送部材接触部分に接触する供給部接触部分を有し、前記第３接触部分は、前記第１接触部分及び前記第２接触部分の間に存在する前記ディスクに対して前記第２方向側に配置され、前記搬送部材接触部分は、前記供給部接触部分に対して前記ディスクの搬入方向側に配置された構成を有している。
【００３１】
この構成により、本発明のディスク挿排装置は、搬送部材がディスクを搬出する状態のときに搬送部材がディスクを搬送する力を、搬送部材がディスクを搬入する状態のときに搬送部材がディスクを搬送する力より大きくすることができるので、搬送部材がディスクを搬出する状態のときと、搬送部材がディスクを搬入する状態のときとで搬送部材がディスクを搬送する力が同じ大きさである場合と比較して、より確実にディスクを搬出することができる。
【００３２】
また、本発明のディスク挿排装置は、前記ディスクに接触可能である第３接触部分を有し前記第３接触部分によって前記ディスクを前記挿排方向に搬送する搬送部材と、前記搬送部材による前記ディスクの搬入動作が所定の時間以上続いたときに前記搬送部材に前記ディスクの搬入を停止させる搬送制御手段とを備えた構成を有している。
【００３３】
この構成により、本発明のディスク挿排装置は、搬送部材によるディスクの搬入動作が所定の時間以上続いたときに搬送部材にディスクの搬入を停止させない場合と比較して、複数枚重ねられて挿入されたディスクの挿入をより確実に防止することができる。
【００３４】
また、本発明のディスク挿排装置は、前記ディスクに接触可能である第３接触部分を有し前記第３接触部分によって前記ディスクを前記挿排方向に搬送する搬送部材と、前記搬送部材による前記ディスクの搬入動作が所定の時間以上続いたときに前記搬送部材に前記ディスクの搬入を停止させて前記搬送部材に前記ディスクを搬出させる搬送制御手段とを備えた構成を有している。
【００３５】
この構成により、本発明のディスク挿排装置は、搬送部材によるディスクの搬入動作が所定の時間以上続いたときに搬送部材にディスクの搬入を停止させない場合と比較して、複数枚重ねられて挿入されたディスクの挿入をより確実に防止することができる。また、本発明のディスク挿排装置は、搬送部材によるディスクの搬入動作が所定の時間以上続いたときに搬送部材にディスクの搬入を停止させるだけで搬送部材にディスクを搬出させない場合と比較して、複数枚重ねられて挿入されたディスクをより確実に排出することができる。
【００３６】
また、本発明のディスク装置は、ディスク挿排装置を備えた構成を有している。
【００３７】
この構成により、本発明のディスク装置は、複数枚重ねられたディスクの挿入を防止する性能が劣化されることを防止することができるので、複数枚重ねられたディスクが挿入されることによる誤動作を長期間防止することができる。
【００３８】
【発明の実施の形態】
以下、本発明の一実施の形態について、図面を用いて説明する。
【００３９】
まず、本実施の形態に係るディスク装置の構成について説明する。
【００４０】
図１から図３までに示すように、本実施の形態に係るディスク装置５は、複数枚重ねられたディスク２００の挿入を防止するディスク挿排装置１０と、ディスク挿排装置１０を収納した筐体２０とを備えている。また、ディスク挿排装置１０は、筐体２０に設置された基台３０と、ディスク２００を案内する案内部４１ａ、４１ｂを有して基台３０に固定されたディスクガイド部材４０と、ディスク２００に接触することによって矢印１１で示す方向へのディスク２００の移動を規制するディスク移動規制部材５０と、ディスクガイド部材４０に対してディスク移動規制部材５０側とは反対側に配置されてディスク２００に接触することによって矢印１１で示す方向へのディスク２００の移動を規制するディスク移動規制部材５５とを備えている。
【００４１】
ここで、基台３０は、図４から図６までに示すように、ディスクガイド部材４０の案内部４１ａの近傍で案内部４１ａ側とは反対側に突起した突起部３１ａ、３１ｂ、３１ｃ、３１ｄ、３１ｅ、３１ｆと、案内部４１ａの近傍で案内部４１ａ側とは反対側に屈曲した屈曲部３２と、案内部４１ａの近傍で矢印１１で示す方向に開口した開口部３３と、ディスクガイド部材４０の案内部４１ｂの近傍で突起部３１ａ、３１ｂ、３１ｃ、３１ｄ、３１ｅ、３１ｆと対称に設けられた複数の突起部３４と、案内部４１ｂの近傍で屈曲部３２と対称に設けられた屈曲部３５と、案内部４１ｂの近傍で開口部３３と対称に設けられた開口部３６とを有している。
【００４２】
また、ディスクガイド部材４０は、図１から図３までに示すように、ディスク２００に接触可能である第１接触部分としての接触部分４２ａ、４２ｂを有しているとともに、矢印１１で示す方向とは反対の矢印１２で示す方向へのディスク２００の移動を接触部分４２ａ、４２ｂによって規制するようになっており、本発明の第１ディスク規制部材を構成している。また、矢印１２で示す方向は、本発明の第１方向を構成しており、矢印１１で示す方向は、本発明の第２方向を構成している。
【００４３】
なお、ディスクガイド部材４０の接触部分４２ａ、４２ｂを形成する面の法線方向は、矢印１１で示す方向及び矢印１２で示す方向とは異なった方向である。
【００４４】
また、ディスク移動規制部材５０は、ディスクガイド部材４０の接触部分４２ａに対して矢印１１で示す方向側に配置されてディスク２００に接触可能である第２接触部分としての接触部分５１を有しているとともに、矢印１１で示す方向へのディスク２００の移動を接触部分５１によって規制するようになっており、本発明の第２ディスク規制部材を構成している。同様に、ディスク移動規制部材５５は、ディスクガイド部材４０の接触部分４２ｂに対して矢印１１で示す方向側に配置されてディスク２００に接触可能である第２接触部分としての接触部分５６を有しているとともに、矢印１１で示す方向へのディスク２００の移動を接触部分５６によって規制するようになっており、本発明の第２ディスク規制部材を構成している。即ち、ディスク移動規制部材５０、５５の接触部分５１、５６は、ディスクガイド部材４０の接触部分４２ａ、４２ｂとともにディスク２００の厚み方向へのディスク２００の移動を規制するようになっている。なお、ディスク移動規制部材５０、５５の接触部分５１、５６を形成する面の法線方向は、矢印１１で示す方向及び矢印１２で示す方向とは異なった方向である。
【００４５】
また、ディスク移動規制部材５０の接触部分５１と、ディスクガイド部材４０の接触部分４２ａとの矢印１１、１２で示す方向での隙間１０ａは、ディスク移動規制部材５０の接触部分５１と、ディスクガイド部材４０の接触部分４２ａとの間にディスク２００が存在しない状態のときにディスクガイド部材４０の案内部４１ａとディスク移動規制部材５０とが接触することによってディスク２００の１枚分の厚み以上ディスク２００の２枚分の厚み未満になるように設定されている。同様に、ディスク移動規制部材５５の接触部分５６と、ディスクガイド部材４０の接触部分４２ｂとの矢印１１、１２で示す方向での隙間１０ｂは、ディスク移動規制部材５５の接触部分５６と、ディスクガイド部材４０の接触部分４２ｂとの間にディスク２００が存在しない状態のときにディスクガイド部材４０の案内部４１ｂとディスク移動規制部材５５とが接触することによってディスク２００の１枚分の厚み以上ディスク２００の２枚分の厚み未満になるように設定されている。即ち、ディスク移動規制部材５０、５５の接触部分５１、５６は、ディスクガイド部材４０の接触部分４２ａ、４２ｂとの間にディスク２００が存在しない状態のときにディスクガイド部材４０の接触部分４２ａ、４２ｂから矢印１１で示す方向にディスク２００の１枚分の厚み以上ディスク２００の２枚分の厚み未満離れて配置されている。
【００４６】
また、ディスク移動規制部材５０は、矢印１１、１２で示す方向に延在して基台３０の突起部３１ａ、３１ｂ（図６参照。）が挿入された溝部５２（図６参照。）と、矢印１１、１２で示す方向に延在して基台３０の突起部３１ｃが挿入された溝部５３（図６参照。）とを有しており、ディスク移動規制部材５５は、ディスク移動規制部材５０の溝部５２、５３と同様に矢印１１、１２で示す方向に延在して基台３０の突起部３４が挿入された図示していない溝部を有している。即ち、基台３０は、ディスクガイド部材４０に対してディスク移動規制部材５０、５５を矢印１１、１２で示す方向に移動可能に支持したディスク規制部材支持手段を構成している。
【００４７】
また、ディスクガイド部材４０の案内部４１ａ、４１ｂは、ディスクガイド部材４０の接触部分４２ａ、４２ｂ及びディスク移動規制部材５０、５５の接触部分５１、５６の間に存在するディスク２００をディスク２００の矢印１３、１４で示す挿排方向に案内するようになっている。なお、矢印１１、１２で示す方向と、矢印１３、１４で示す方向とは互いに略直交している。
【００４８】
また、ディスク挿排装置１０は、図４から図６までに示すように、ディスクガイド部材４０の接触部分４２ａ、４２ｂ及びディスク移動規制部材５０、５５（図２参照。）の接触部分５１、５６（図２参照。）の間に存在するディスク２００を搬送する搬送ローラ６１を有した搬送部材としてのローラ部材６０と、ディスクガイド部材４０の案内部４１ａの近傍で基台３０に固定されて矢印１２で示す方向にローラ部材６０を付勢する搬送部材付勢手段としての薄板バネ７０と、ディスクガイド部材４０の案内部４１ｂの近傍で基台３０に固定されて矢印１２で示す方向にローラ部材６０を付勢する搬送部材付勢手段としての薄板バネ７５と、ディスクガイド部材４０の案内部４１ａの近傍でローラ部材６０に接触することによって矢印１１で示す方向へのローラ部材６０の移動を規制するローラ移動規制部材８０と、ディスクガイド部材４０の案内部４１ｂの近傍でローラ部材６０に接触することによって矢印１１で示す方向へのローラ部材６０の移動を規制するローラ移動規制部材８５と、筐体２０に対して回転可能に固定されたギヤ９０（図１参照。）と、ギヤ９０に回転力を供給するモータ９５（図７参照。）とを備えている。
【００４９】
ここで、ローラ部材６０は、基台３０の開口部３３に係合した軸受部６２と、基台３０の開口部３６に係合した軸受部６３と、ギヤ９０（図１参照。）と噛み合うギヤ６４とを有している。即ち、基台３０は、ディスクガイド部材４０に対してローラ部材６０を矢印１１、１２で示す方向に移動可能に支持した搬送部材支持手段を構成している。また、ローラ部材６０の搬送ローラ６１は、ディスクガイド部材４０の接触部分４２ａ、４２ｂ及びディスク移動規制部材５０、５５の接触部分５１、５６（図２参照。）の間に存在するディスク２００に搬送のために接触する第３接触部分としての接触部分６１ａを有している。
【００５０】
なお、ローラ部材６０の接触部分６１ａは、ディスクガイド部材４０の接触部分４２ａ、４２ｂ及びディスク移動規制部材５０、５５の接触部分５１、５６の間に存在するディスク２００に対して矢印１１で示す方向側に配置されている。また、ディスク移動規制部材５０、５５の接触部分５１、５６は、ローラ部材６０の接触部分６１ａに対してディスク２００の矢印１３で示す搬入方向側に配置されおり、ローラ部材６０の接触部分６１ａは、図８に示すように、矢印１３で示す方向に移動させられたディスク２００とディスク移動規制部材５０、５５の接触部分５１、５６との接触が解除されたときのディスク２００と接触する位置に配置されている。
【００５１】
また、図４から図６までに示すように、薄板バネ７０は、ローラ部材６０の軸受部６２に係合した係合部７１（図９参照。）を有している。同様に、薄板バネ７５は、ローラ部材６０の軸受部６３に係合した係合部７６を有している。
【００５２】
また、ローラ移動規制部材８０は、ローラ部材６０の軸受部６２に接触可能である第４接触部分としての接触部分８１を有しているとともに、矢印１１で示す方向へのローラ部材６０の移動を接触部分８１によって規制するようになっており、本発明の搬送部材規制部材を構成している。同様に、ローラ移動規制部材８５は、ローラ部材６０の軸受部６３に接触可能である第４接触部分としての接触部分８６を有しているとともに、矢印１１で示す方向へのローラ部材６０の移動を接触部分８６によって規制するようになっており、本発明の搬送部材規制部材を構成している。
【００５３】
また、ローラ移動規制部材８０は、矢印１１、１２で示す方向に延在して基台３０の突起部３１ｄが挿入された溝部８２と、矢印１１、１２で示す方向に延在して基台３０の突起部３１ｅ、３１ｆが挿入された溝部８３と、ローラ部材６０の軸受部６２が挿入された穴部８４とを有している。同様に、ローラ移動規制部材８５は、ローラ移動規制部材８０の溝部８２と同様に矢印１１、１２で示す方向に延在して基台３０の突起部３４が挿入された溝部８７と、ローラ移動規制部材８０の溝部８３と同様に矢印１１、１２で示す方向に延在して基台３０の突起部３４が挿入された図示していない溝部と、ローラ部材６０の軸受部６３が挿入された穴部８９とを有している。即ち、基台３０は、ディスクガイド部材４０に対してローラ移動規制部材８０、８５を矢印１１、１２で示す方向に移動可能に支持した搬送部材規制部材支持手段を構成している。
【００５４】
なお、ローラ部材６０は、ローラ移動規制部材８０の接触部分８１に接触可能である第５接触部分としての接触部分６２ａを軸受部６２に有しており、ローラ移動規制部材８５の接触部分８６に接触可能である第５接触部分としての接触部分６３ａを軸受部６３に有している。
【００５５】
ここで、ローラ部材６０の接触部分６２ａと、ローラ移動規制部材８０の接触部分８１との矢印１１、１２で示す方向での隙間１０ｃは、ディスクガイド部材４０の接触部分４２ａ、４２ｂと、ローラ部材６０の接触部分６１ａとの間にディスク２００が存在しない状態のときに、ディスクガイド部材４０の接触部分４２ａ、４２ｂと、ローラ部材６０の接触部分６１ａとの間にディスク２００が存在しない状態からディスクガイド部材４０の接触部分４２ａ、４２ｂと、ローラ部材６０の接触部分６１ａとの間に１枚のディスク２００が存在する状態までの矢印１１で示す方向へのローラ部材６０の接触部分６２ａの移動量以上、ディスクガイド部材４０の接触部分４２ａ、４２ｂと、ローラ部材６０の接触部分６１ａとの間にディスク２００が存在しない状態からディスクガイド部材４０の接触部分４２ａ、４２ｂと、ローラ部材６０の接触部分６１ａとの間に２枚重ねられたディスク２００が存在する状態までの矢印１１で示す方向へのローラ部材６０の接触部分６２ａの移動量未満になるように設定されている。
【００５６】
同様に、ローラ部材６０の接触部分６３ａと、ローラ移動規制部材８５の接触部分８６との矢印１１、１２で示す方向での隙間１０ｄは、ディスクガイド部材４０の接触部分４２ａ、４２ｂと、ローラ部材６０の接触部分６１ａとの間にディスク２００が存在しない状態のときに、ディスクガイド部材４０の接触部分４２ａ、４２ｂと、ローラ部材６０の接触部分６１ａとの間にディスク２００が存在しない状態からディスクガイド部材４０の接触部分４２ａ、４２ｂと、ローラ部材６０の接触部分６１ａとの間に１枚のディスク２００が存在する状態までの矢印１１で示す方向へのローラ部材６０の接触部分６３ａの移動量以上、ディスクガイド部材４０の接触部分４２ａ、４２ｂと、ローラ部材６０の接触部分６１ａとの間にディスク２００が存在しない状態からディスクガイド部材４０の接触部分４２ａ、４２ｂと、ローラ部材６０の接触部分６１ａとの間に２枚重ねられたディスク２００が存在する状態までの矢印１１で示す方向へのローラ部材６０の接触部分６３ａの移動量未満になるように設定されている。
【００５７】
即ち、ローラ移動規制部材８０の接触部分８１、８６は、ディスクガイド部材４０の接触部分４２ａ、４２ｂと、ローラ部材６０の接触部分６１ａとの間にディスク２００が存在しない状態からディスクガイド部材４０の接触部分４２ａ、４２ｂと、ローラ部材６０の接触部分６１ａとの間に１枚のディスク２００が存在する状態までの矢印１１で示す方向へのローラ部材６０の接触部分６２ａ、６３ａの移動量以上、ディスクガイド部材４０の接触部分４２ａ、４２ｂと、ローラ部材６０の接触部分６１ａとの間にディスク２００が存在しない状態からディスクガイド部材４０の接触部分４２ａ、４２ｂと、ローラ部材６０の接触部分６１ａとの間に２枚重ねられたディスク２００が存在する状態までの矢印１１で示す方向へのローラ部材６０の接触部分６２ａ、６３ａの移動量未満、ディスクガイド部材４０の接触部分４２ａ、４２ｂと、ローラ部材６０の接触部分６１ａとの間にディスク２００が存在しない状態のときに矢印１１で示す方向にローラ部材６０の接触部分６２ａ、６３ａから離れて配置されている。
【００５８】
また、図１０に示すように、ギヤ９０は、ローラ部材６０（図１参照。）に接触する搬送部材接触部分としての接触部分９１を有しているとともに、接触部分９１によってローラ部材６０に回転力を供給するようになっており、本発明の回転力供給部を構成している。また、ローラ部材６０のギヤ６４は、ギヤ９０の接触部分９１に接触して接触部分９１から回転力を入力する供給部接触部分としての接触部分６４ａを有している。なお、ギヤ９０の接触部分９１は、ローラ部材６０のギヤ６４の接触部分６４ａに対してディスク２００の矢印１３で示す搬入方向側に配置されている。
【００５９】
また、図１から図５までに示すように、ディスク挿排装置１０は、ディスクガイド部材４０の案内部４１ａの近傍で筐体２０に固定された固定板１００と、ディスクガイド部材４０の案内部４１ｂの近傍で筐体２０に固定された固定板１０５と、突起部１１１、１１２を有して固定板１００に支持された弾性部材１１０と、突起部１１６、１１７を有して固定板１０５に支持された弾性部材１１５と、弾性部材１１０の突起部１１１、１１２がそれぞれ挿入されたカム溝部１２１、１２２（図１１参照。）を有したカム板１２０と、カム板１２０のカム溝部１２１、１２２と同様に弾性部材１１５の突起部１１６、１１７がそれぞれ挿入された複数の図示していないカム溝部を有したカム板１２５と、固定板１００、１０５に対してカム板１２０、１２５を矢印１３、１４で示す方向に移動させるモータ１３０（図７参照。）とを備えている。
【００６０】
ここで、固定板１００は、矢印１１、１２で示す方向に延在して弾性部材１１０の突起部１１１、１１２がそれぞれ挿入された溝部１０１、１０２（図１１参照。）と、矢印１３、１４で示す方向に延在した溝部１０３、１０４（図１１参照。）とを有している。また、固定板１０５は、固定板１００の溝部１０１、１０２と同様に矢印１１、１２で示す方向に延在して弾性部材１１５の突起部１１６、１１７がそれぞれ挿入された複数の図示していない溝部と、固定板１００の溝部１０３、１０４と同様に矢印１３、１４で示す方向に延在した複数の図示していない溝部とを有している。
【００６１】
また、弾性部材１１０は、矢印１２で示す方向にディスク移動規制部材５０を付勢するディスク規制部材付勢手段としての弾性部１１３と、矢印１２で示す方向にローラ移動規制部材８０を付勢する搬送部材規制部材付勢手段としての弾性部１１４とを有している。同様に、弾性部材１１５は、矢印１２で示す方向にディスク移動規制部材５５を付勢するディスク規制部材付勢手段としての弾性部１１８と、矢印１２で示す方向にローラ移動規制部材８５を付勢する搬送部材規制部材付勢手段としての弾性部１１９とを有している。
【００６２】
また、カム板１２０は、固定板１００の溝部１０３、１０４（図１１参照。）にそれぞれ挿入された突起部１２３、１２４（図１１参照。）を有している。同様に、カム板１２５は、固定板１０５の矢印１３、１４で示す方向に延在した図示していない複数の溝部にそれぞれ挿入された複数の突起部１２８を有している。
【００６３】
また、ディスク挿排装置１０は、発光素子１３１、１３２、１３３、１３４を有してディスクガイド部材４０に固定された図示していない第１基板と、複数の発光素子１３１、１３２、１３３、１３４にそれぞれ対向して配置された複数の受光素子１４０（図７参照。）を有して筐体２０に固定された図示していない第２基板と、ディスクガイド部材４０の接触部分４２ａ、４２ｂ及びディスク移動規制部材５０、５５の接触部分５１、５６の間を通過するディスク２００に接触する図示していないレバー部材と、レバー部材の動作を検出するセンサ１５０（図７参照。）と、受光素子１４０及びセンサ１５０の出力に基づいてモータ９５及びモータ１３０の動作を制御する制御部１６０（図７参照。）とを備えている。なお、第１基板及び第２基板は、ディスクガイド部材４０の接触部分４２ａ、４２ｂ及びディスク移動規制部材５０、５５の接触部分５１、５６の間に存在するディスク２００が発光素子１３１、１３２、１３３、１３４と、複数の受光素子１４０との間を通過する位置に配置されている。
【００６４】
ここで、制御部１６０は、モータ１３０の動作を制御してカム板１２０、１２５を固定板１００、１０５に対して移動させることによって、ローラ部材６０がディスク２００を搬出する状態のときに、ローラ部材６０がディスク２００を搬入する状態のときより、弾性部材１１０、１１５を矢印１１で示す方向に移動させて、弾性部材１１０、１１５の弾性部１１３、１１８がディスク移動規制部材５０、５５を付勢する力や、弾性部材１１０、１１５の弾性部１１４、１１９がローラ移動規制部材８０、８５を付勢する力を小さくするようになっている。即ち、固定板１００、１０５、カム板１２０、１２５、モータ１３０及び制御部１６０は、弾性部材１１０、１１５の弾性部１１３、１１８がディスク移動規制部材５０、５５を付勢する力を変更するディスク規制付勢力変更手段と、弾性部材１１０、１１５の弾性部１１４、１１９がローラ移動規制部材８０、８５を付勢する力を変更する搬送部材規制付勢力変更手段と、弾性部材１１０、１１５がディスク移動規制部材５０、５５及びローラ移動規制部材８０、８５を付勢する力を変更する規制付勢力変更手段とを構成している。
【００６５】
また、制御部１６０は、ローラ部材６０によるディスク２００の搬入動作が所定の時間以上続いたときに、ローラ部材６０にディスク２００の搬入を停止させて、ローラ部材６０にディスク２００を搬出させるようになっており、本発明の搬送制御手段を構成している。
【００６６】
次に、ディスク挿排装置１０の動作について説明する。
【００６７】
まず、１枚のディスク２００に対するディスク挿排装置１０の動作について説明する。
【００６８】
ディスクガイド部材４０の接触部分４２ａ、４２ｂ及びローラ部材６０の接触部分６１ａの間に向けてディスク挿排装置１０の外部からディスク挿排装置１０に１枚のディスク２００が挿入されて、ディスク２００が挿入されたということを受光素子１４０又はセンサ１５０の出力に基づいて制御部１６０が判断すると、制御部１６０は、モータ９５を回転させてギヤ９０を矢印９０ａ（図１０参照。）で示す方向に回転させることによって、ギヤ９０と噛み合うギヤ６４を有したローラ部材６０を矢印６０ａ（図１０参照。）で示す方向に回転させる。なお、ギヤ９０が矢印９０ａで示す方向に回転することによってローラ部材６０が矢印６０ａで示す方向に回転するとき、ローラ部材６０の接触部分６１ａには、ギヤ６４を介してギヤ９０から矢印１１で示す方向の力が加わる。
【００６９】
矢印６０ａで示す方向に回転しているローラ部材６０の接触部分６１ａと、ディスクガイド部材４０の接触部分４２ａ、４２ｂとの間に１枚のディスク２００が挿入されると、１枚のディスク２００は、接触部分４２ａ、４２ｂ及び接触部分５１、５６に対する傾きを接触部分６１ａによって矯正されながら、ローラ部材６０によって矢印１３で示す方向にディスク挿排装置１０の内部に向けて搬入される。
【００７０】
１枚のディスク２００がローラ部材６０によって搬入されるとき、１枚のディスク２００によって矢印１１で示す方向に押されたローラ部材６０は、基台３０の開口部３３、３６に案内されて図４及び図５に示すようにディスクガイド部材４０に対して矢印１１で示す方向に移動する。しかしながら、ディスクガイド部材４０の接触部分４２ａ、４２ｂと、ローラ部材６０の接触部分６１ａとの間にディスク２００が存在しない状態からディスクガイド部材４０の接触部分４２ａ、４２ｂと、ローラ部材６０の接触部分６１ａとの間に１枚のディスク２００が存在する状態までの矢印１１で示す方向へのローラ部材６０の接触部分６２ａ、６３ａの移動量以上、ディスクガイド部材４０の接触部分４２ａ、４２ｂと、ローラ部材６０の接触部分６１ａとの間にディスク２００が存在しない状態のときにローラ移動規制部材８０、８５の接触部分８１、８６が矢印１１で示す方向にローラ部材６０の接触部分６２ａ、６３ａから離れて配置されているので、ローラ部材６０の接触部分６２ａ、６３ａは、ローラ移動規制部材８０、８５の接触部分８１、８６に接触しない。したがって、１枚のディスク２００は、ローラ部材６０を介してローラ移動規制部材８０の接触部分８１、８６によって矢印１２で示す方向に負荷が与えられることはない。
【００７１】
また、１枚のディスク２００がローラ部材６０によって搬入されるとき、ディスクガイド部材４０の接触部分４２ａ、４２ｂと、ディスク移動規制部材５０、５５の接触部分５１、５６との間にディスク２００が存在しない状態のときにディスク移動規制部材５０、５５の接触部分５１、５６が矢印１１で示す方向にディスク２００の１枚分の厚み以上、ディスクガイド部材４０の接触部分４２ａ、４２ｂから離れて配置されているので、１枚のディスク２００は、ディスク移動規制部材５０、５５の接触部分５１、５６に接触しない。したがって、１枚のディスク２００は、図２及び図３に示すように、ディスク移動規制部材５０、５５の接触部分５１、５６によって矢印１２で示す方向に負荷が与えられることはない。
【００７２】
そして、１枚のディスク２００がローラ部材６０によって更に搬入されて、ディスク挿排装置１０の内部の所定の位置まで１枚のディスク２００が搬入されたということを受光素子１４０又はセンサ１５０の出力に基づいて制御部１６０が判断すると、制御部１６０は、モータ９５の回転を停止させてギヤ９０の回転を停止させることによって、ギヤ９０と噛み合うギヤ６４を有したローラ部材６０の回転を停止させる。
【００７３】
また、例えば図示していないイジェクトボタンが利用者によって押されると、制御部１６０は、モータ１３０を回転させて固定板１００、１０５に対してカム板１２０、１２５を図１２に示すように矢印１４で示す方向に移動させることによって、カム板１２０のカム溝部１２１、１２２に突起部１１１、１１２をそれぞれ挿入した弾性部材１１０を矢印１１で示す方向に移動させて弾性部材１１０の弾性部１１３、１１４のディスク移動規制部材５０及びローラ移動規制部材８０への接触をそれぞれ解除させるとともに、カム板１２５の図示していないカム溝部に突起部１１６、１１７をそれぞれ挿入した弾性部材１１５を弾性部材１１０と同様に矢印１１で示す方向に移動させて弾性部材１１５の弾性部１１８、１１９のディスク移動規制部材５５及びローラ移動規制部材８５への接触をそれぞれ解除させる。したがって、ディスク移動規制部材５０、５５及びローラ移動規制部材８０、８５は、弾性部材１１０、１１５によって矢印１２で示す方向に付勢されることはない。
【００７４】
そして、制御部１６０は、弾性部材１１０、１１５を矢印１１で示す方向に移動させると、モータ９５を回転させてギヤ９０を矢印９０ｂ（図１０参照。）で示す方向に回転させることによって、ギヤ９０と噛み合うギヤ６４を有したローラ部材６０を矢印６０ｂ（図１０参照。）で示す方向に回転させる。なお、ギヤ９０が矢印９０ｂで示す方向に回転することによってローラ部材６０が矢印６０ｂで示す方向に回転するとき、ローラ部材６０の接触部分６１ａには、ギヤ６４を介してギヤ９０から矢印１２で示す方向の力が加わる。
【００７５】
ここで、ディスク挿排装置１０の内部にあった１枚のディスク２００が、図示していない機構によって移動されて、矢印６０ｂで示す方向に回転しているローラ部材６０の接触部分６１ａと、ディスクガイド部材４０の接触部分４２ａ、４２ｂとの間に挿入されると、１枚のディスク２００は、ローラ部材６０によって矢印１４で示す方向にディスク挿排装置１０の外部に向けて搬出される。なお、ローラ部材６０によって搬出されるときも、ローラ部材６０によって搬入されるときと同様に、１枚のディスク２００は、ディスク移動規制部材５０、５５の接触部分５１、５６によって矢印１２で示す方向に負荷が与えられることはないし、ローラ部材６０を介してローラ移動規制部材８０の接触部分８１、８６によって矢印１２で示す方向に負荷が与えられることはない。
【００７６】
そして、１枚のディスク２００がローラ部材６０によって更に搬出されて、所定の位置までディスク２００が搬出されたということを受光素子１４０又はセンサ１５０の出力に基づいて制御部１６０が判断すると、制御部１６０は、モータ９５の回転を停止させてギヤ９０の回転を停止させることによって、ギヤ９０と噛み合うギヤ６４を有したローラ部材６０の回転を停止させる。
【００７７】
また、所定の位置まで１枚のディスク２００が搬出されたということを受光素子１４０又はセンサ１５０の出力に基づいて制御部１６０が判断すると、制御部１６０は、モータ１３０を回転させて固定板１００、１０５に対してカム板１２０、１２５を図１１に示すように矢印１３で示す方向に移動させることによって、カム板１２０のカム溝部１２１、１２２に突起部１１１、１１２をそれぞれ挿入した弾性部材１１０を矢印１２で示す方向に移動させて弾性部材１１０の弾性部１１３、１１４をディスク移動規制部材５０及びローラ移動規制部材８０にそれぞれ接触させるとともに、カム板１２５の図示していないカム溝部に突起部１１６、１１７をそれぞれ挿入した弾性部材１１５を弾性部材１１０と同様に矢印１２で示す方向に移動させて弾性部材１１５の弾性部１１８、１１９をディスク移動規制部材５５及びローラ移動規制部材８５にそれぞれ接触させる。したがって、ディスク移動規制部材５０、５５及びローラ移動規制部材８０、８５は、弾性部材１１０、１１５によって矢印１２で示す方向に付勢される。
【００７８】
次に、２枚重ねられたディスク２００に対するディスク挿排装置１０の動作について説明する。
【００７９】
ディスクガイド部材４０の接触部分４２ａ、４２ｂ及びローラ部材６０の接触部分６１ａの間に向けてディスク挿排装置１０の外部からディスク挿排装置１０に図１３に示すように２枚重ねられたディスク２００が挿入されて、ディスク２００が挿入されたということを受光素子１４０又はセンサ１５０の出力に基づいて制御部１６０が判断すると、制御部１６０は、モータ９５を回転させてギヤ９０を矢印９０ａ（図１０参照。）で示す方向に回転させることによって、ギヤ９０と噛み合うギヤ６４を有したローラ部材６０を矢印６０ａ（図１０参照。）で示す方向に回転させる。なお、ギヤ９０が矢印９０ａで示す方向に回転することによってローラ部材６０が矢印６０ａで示す方向に回転するとき、ローラ部材６０の接触部分６１ａには、ギヤ６４を介してギヤ９０から矢印１１で示す方向の力が加わる。
【００８０】
矢印６０ａで示す方向に回転しているローラ部材６０の接触部分６１ａと、ディスクガイド部材４０の接触部分４２ａ、４２ｂとの間に２枚重ねられたディスク２００が挿入されると、２枚重ねられたディスク２００は、接触部分４２ａ、４２ｂ及び接触部分５１、５６に対する傾きを接触部分６１ａによって矯正されながら、ローラ部材６０によって矢印１３で示す方向にディスク挿排装置１０の内部に向けて搬入される。
【００８１】
２枚重ねられたディスク２００がローラ部材６０によって搬入されるとき、２枚重ねられたディスク２００によって矢印１１で示す方向に押されたローラ部材６０は、基台３０の開口部３３、３６に案内されて図１４及び図１５に示すようにディスクガイド部材４０に対して矢印１１で示す方向に移動する。ここで、ディスクガイド部材４０の接触部分４２ａ、４２ｂと、ローラ部材６０の接触部分６１ａとの間にディスク２００が存在しない状態からディスクガイド部材４０の接触部分４２ａ、４２ｂと、ローラ部材６０の接触部分６１ａとの間に２枚重ねられたディスク２００が存在する状態までの矢印１１で示す方向へのローラ部材６０の接触部分６２ａ、６３ａの移動量未満、ディスクガイド部材４０の接触部分４２ａ、４２ｂと、ローラ部材６０の接触部分６１ａとの間にディスク２００が存在しない状態のときにローラ移動規制部材８０、８５の接触部分８１、８６が矢印１１で示す方向にローラ部材６０の接触部分６２ａ、６３ａから離れて配置されているので、ローラ部材６０の接触部分６２ａ、６３ａは、ローラ移動規制部材８０、８５の接触部分８１、８６に接触してローラ移動規制部材８０、８５を矢印１１で示す方向に移動させる。したがって、２枚重ねられたディスク２００は、弾性部材１１０、１１５の弾性部１１４、１１９によって矢印１２で示す方向に付勢されたローラ移動規制部材８０、８５の接触部分８１、８６によってローラ部材６０を介して矢印１２で示す方向に負荷が与えられて、ディスクガイド部材４０の接触部分４２ａ、４２ｂと、ローラ部材６０の接触部分６１ａとによって矢印１３で示す方向への移動を規制される。
【００８２】
また、２枚重ねられたディスク２００がローラ部材６０によって搬入されるとき、ディスクガイド部材４０の接触部分４２ａ、４２ｂと、ディスク移動規制部材５０、５５の接触部分５１、５６との間にディスク２００が存在しない状態のときにディスク移動規制部材５０、５５の接触部分５１、５６が矢印１１で示す方向にディスク２００の２枚分の厚み未満、ディスクガイド部材４０の接触部分４２ａ、４２ｂから離れて配置されているので、２枚重ねられたディスク２００は、図１６及び図１７に示すように、弾性部材１１０、１１５の弾性部１１３、１１８によって矢印１２で示す方向に付勢されたディスク移動規制部材５０、５５の接触部分５１、５６に接触して、ディスク移動規制部材５０、５５の接触部分５１、５６によって矢印１２で示す方向に負荷が与えられて、ディスクガイド部材４０の接触部分４２ａ、４２ｂと、ディスク移動規制部材５０、５５の接触部分５１、５６とによって矢印１３で示す方向への移動を規制される。
【００８３】
したがって、ローラ部材６０による２枚重ねられたディスク２００の搬入動作が所定の時間以上続くので、制御部１６０は、モータ９５の回転を停止させてギヤ９０の回転を停止させ、ギヤ９０と噛み合うギヤ６４を有したローラ部材６０の回転を停止させることによって、ローラ部材６０に２枚重ねられたディスク２００の搬入を停止させる。
【００８４】
また、制御部１６０は、ローラ部材６０の回転を停止させると、モータ１３０を回転させて固定板１００、１０５に対してカム板１２０、１２５を図１２に示すように矢印１４で示す方向に移動させることによって、カム板１２０のカム溝部１２１、１２２に突起部１１１、１１２をそれぞれ挿入した弾性部材１１０を矢印１１で示す方向に移動させて図１８（ａ）及び図１９（ａ）に示すように弾性部材１１０の弾性部１１３、１１４のディスク移動規制部材５０及びローラ移動規制部材８０への接触をそれぞれ解除させるとともに、カム板１２５の図示していないカム溝部に突起部１１６、１１７をそれぞれ挿入した弾性部材１１５を弾性部材１１０と同様に矢印１１で示す方向に移動させて図１８（ｂ）及び図１９（ｂ）に示すように弾性部材１１５の弾性部１１８、１１９のディスク移動規制部材５５及びローラ移動規制部材８５への接触をそれぞれ解除させる。
【００８５】
そして、制御部１６０は、弾性部材１１０、１１５を矢印１１で示す方向に移動させると、モータ９５を回転させてギヤ９０を矢印９０ｂ（図１０参照。）で示す方向に回転させ、ギヤ９０と噛み合うギヤ６４を有したローラ部材６０を矢印６０ｂ（図１０参照。）で示す方向に回転させることによって、ローラ部材６０にディスク２００を搬出させる。したがって、２枚重ねられたディスク２００がローラ部材６０によって矢印１４で示す方向にディスク挿排装置１０の外部に向けて搬出されるときに、ディスク移動規制部材５０、５５及びローラ移動規制部材８０、８５が弾性部材１１０、１１５によって矢印１２で示す方向に付勢されることはない。即ち、２枚重ねられたディスク２００は、ローラ部材６０によって搬出されるとき、ローラ部材６０によって搬入されるときと比較して、ディスク移動規制部材５０、５５の接触部分５１、５６によって矢印１２で示す方向に小さい負荷が与えられるとともに、ローラ部材６０を介してローラ移動規制部材８０の接触部分８１、８６によって矢印１２で示す方向に小さい負荷が与えられる。なお、ギヤ９０が矢印９０ｂで示す方向に回転することによってローラ部材６０が矢印６０ｂで示す方向に回転するとき、ローラ部材６０の接触部分６１ａには、ギヤ６４を介してギヤ９０から矢印１２で示す方向の力が加わる。
【００８６】
そして、２枚重ねられたディスク２００がローラ部材６０によって更に搬出されて、所定の位置までディスク２００が搬出されたということを受光素子１４０又はセンサ１５０の出力に基づいて制御部１６０が判断すると、制御部１６０は、モータ９５の回転を停止させてギヤ９０の回転を停止させることによって、ギヤ９０と噛み合うギヤ６４を有したローラ部材６０の回転を停止させる。
【００８７】
また、所定の位置までディスク２００が搬出されたということを受光素子１４０又はセンサ１５０の出力に基づいて制御部１６０が判断すると、制御部１６０は、モータ１３０を回転させて固定板１００、１０５に対してカム板１２０、１２５を図１１に示すように矢印１３で示す方向に移動させることによって、カム板１２０のカム溝部１２１、１２２に突起部１１１、１１２をそれぞれ挿入した弾性部材１１０を矢印１２で示す方向に移動させて弾性部材１１０の弾性部１１３、１１４をディスク移動規制部材５０及びローラ移動規制部材８０にそれぞれ接触させるとともに、カム板１２５の図示していないカム溝部に突起部１１６、１１７をそれぞれ挿入した弾性部材１１５を弾性部材１１０と同様に矢印１２で示す方向に移動させて弾性部材１１５の弾性部１１８、１１９をディスク移動規制部材５５及びローラ移動規制部材８５にそれぞれ接触させる。したがって、ディスク移動規制部材５０、５５及びローラ移動規制部材８０、８５は、弾性部材１１０、１１５によって矢印１２で示す方向に付勢される。
【００８８】
以上に説明したように、ディスク挿排装置１０は、ディスク移動規制部材５０、５５が矢印１２で示す方向に付勢されながら矢印１１で示す方向に移動可能であるので、２枚重ねられたディスク２００が無理に挿入されたときでも、ディスクガイド部材４０及びディスク移動規制部材５０、５５に永久変形が生じることを防止することができ、２枚重ねられたディスク２００の挿入を防止する性能を維持することができる。また、ディスク挿排装置１０は、接触部分４２ａ、４２ｂと接触部分５１、５６とによってだけでなく、接触部分４２ａ、４２ｂと接触部分６１ａとによっても２枚重ねられたディスク２００の挿入を防止することができるので、接触部分４２ａ、４２ｂと接触部分５１、５６とによってだけ２枚重ねられたディスク２００の挿入を防止することができる場合と比較して、２枚重ねられたディスク２００の挿入をより確実に防止することができる。なお、ディスク挿排装置１０は、ローラ移動規制部材８０、８５が矢印１２で示す方向に付勢されながら矢印１１で示す方向に移動可能であるので、２枚重ねられたディスク２００が無理に挿入されたときでも、ディスクガイド部材４０、ローラ部材６０及びローラ移動規制部材８０、８５に永久変形が生じることを防止することができ、２枚重ねられたディスク２００の挿入を防止する性能を維持することができる。
【００８９】
また、ディスク挿排装置１０は、ディスク移動規制部材５０、５５が矢印１２で示す方向に付勢されながら矢印１１で示す方向に移動可能であるので、接触部分４２ａ、４２ｂと接触部分５１、５６とによってディスク２００を損傷する可能性を低減することができる。同様に、ディスク挿排装置１０は、ローラ移動規制部材８０、８５が矢印１２で示す方向に付勢されながら矢印１１で示す方向に移動可能であるので、接触部分４２ａ、４２ｂと接触部分６１ａとによってディスク２００を損傷する可能性を低減することができる。
【００９０】
また、ディスク挿排装置１０は、１枚のディスク２００が挿入されたときに接触部分４２ａ、４２ｂ及び接触部分５１、５６によって同時にディスク２００の厚み方向にディスク２００に負荷を与えないので、１枚のディスク２００が挿入されたときに接触部分４２ａ、４２ｂ及び接触部分５１、５６によって同時にディスク２００の厚み方向にディスク２００に負荷を与える場合と比較して、１枚のディスク２００の挿入に必要な力を低減することができる。同様に、ディスク挿排装置１０は、１枚のディスク２００が挿入されたときに接触部分８１、８６によってディスク２００の厚み方向にローラ部材６０に負荷を与えないので、１枚のディスク２００が挿入されたときに接触部分８１、８６によってディスク２００の厚み方向にローラ部材６０に負荷を与える場合と比較して、１枚のディスク２００の挿入に必要な力を低減することができる。
【００９１】
また、ディスク挿排装置１０は、接触部分４２ａ、４２ｂ及び接触部分５１、５６に対するディスク２００の傾きを接触部分６１ａによって矯正した後で接触部分４２ａ、４２ｂ及び接触部分５１、５６の間にディスク２００を存在させるので、１枚のディスク２００が挿入されたときにディスク２００と、接触部分５１、５６とを互いに接触させることがなく、接触部分４２ａ、４２ｂ及び接触部分５１、５６の間にディスク２００を存在させる前に接触部分４２ａ、４２ｂ及び接触部分５１、５６に対するディスク２００の傾きを矯正しない場合と比較して、操作性を向上することができる。
【００９２】
また、ディスク挿排装置１０は、矢印１３で示す方向に移動させられたディスク２００と接触部分５１、５６との接触が解除されたときのディスク２００と接触する位置に接触部分６１ａが配置されているので、矢印１３で示す搬入方向に利用者によって無理に移動させられたディスク２００と接触部分５１、５６との接触が解除されたときでも、接触部分４２ａ、４２ｂと接触部分６１ａとによって２枚重ねられたディスク２００の挿入を防止することができる。
【００９３】
また、ディスク挿排装置１０は、接触部分４２ａ、４２ｂを形成する面の法線方向と、接触部分５１、５６を形成する面の法線方向とが矢印１１で示す方向及び矢印１２で示す方向とは異なった方向であるので、接触部分４２ａ、４２ｂを形成する面の法線方向と、接触部分５１、５６を形成する面の法線方向とが矢印１１で示す方向及び矢印１２で示す方向と同一の方向である場合と比較して、接触部分４２ａ、４２ｂ及び接触部分５１、５６と、挿入されたディスク２００とが接触する面積を減少させることができるので、挿入されたディスク２００を損傷する可能性を低減することができる。
【００９４】
また、ディスク挿排装置１０は、ローラ部材６０がディスク２００を搬出する状態のときに弾性部１１３、１１８がディスク移動規制部材５０、５５を付勢する力を、ローラ部材６０がディスク２００を搬入する状態のときに弾性部１１３、１１８がディスク移動規制部材５０、５５を付勢する力より小さくすることができるので、ローラ部材６０がディスク２００を搬出する状態のときに弾性部１１３、１１８がディスク移動規制部材５０、５５を付勢する力を、ローラ部材６０がディスク２００を搬入する状態のときに弾性部１１３、１１８がディスク移動規制部材５０、５５を付勢する力と同じ大きさにする場合と比較して、ローラ部材６０によるディスク２００の搬出に必要な力を低減することができ、より確実にディスク２００を搬出することができる。
【００９５】
同様に、ディスク挿排装置１０は、ローラ部材６０がディスク２００を搬出する状態のときに弾性部１１４、１１９がローラ移動規制部材８０、８５を付勢する力を、ローラ部材６０がディスク２００を搬入する状態のときに弾性部１１４、１１９がローラ移動規制部材８０、８５を付勢する力より小さくすることができるので、ローラ部材６０がディスク２００を搬出する状態のときに弾性部１１４、１１９がローラ移動規制部材８０、８５を付勢する力を、ローラ部材６０がディスク２００を搬入する状態のときに弾性部１１４、１１９がローラ移動規制部材８０、８５を付勢する力と同じ大きさにする場合と比較して、ローラ部材６０によるディスク２００の搬出に必要な力を低減することができ、より確実にディスク２００を搬出することができる。
【００９６】
また、ディスク挿排装置１０は、ローラ部材６０がディスク２００を搬入する状態のときにローラ部材６０の接触部分６１ａにギヤ６４を介してギヤ９０から矢印１１で示す方向の力が加わり、ローラ部材６０がディスク２００を搬出する状態のときにローラ部材６０の接触部分６１ａにギヤ６４を介してギヤ９０から矢印１２で示す方向の力が加わるので、ローラ部材６０がディスク２００を搬出する状態のときにローラ部材６０がディスク２００を搬送する力を、ローラ部材６０がディスク２００を搬入する状態のときにローラ部材６０がディスク２００を搬送する力より大きくすることができる。したがって、ディスク挿排装置１０は、ローラ部材６０がディスク２００を搬出する状態のときと、ローラ部材６０がディスク２００を搬入する状態のときとでローラ部材６０がディスク２００を搬送する力が同じ大きさである場合と比較して、より確実にディスク２００を搬出することができる。
【００９７】
また、ディスク挿排装置１０は、ローラ部材６０によるディスク２００の搬入動作が所定の時間以上続いたときにローラ部材６０にディスク２００の搬入を停止させるので、ローラ部材６０によるディスク２００の搬入動作が所定の時間以上続いたときにローラ部材６０にディスク２００の搬入を停止させない場合と比較して、２枚重ねられて挿入されたディスク２００の挿入をより確実に防止することができる。また、ディスク挿排装置１０は、ローラ部材６０によるディスク２００の搬入動作が所定の時間以上続いたときにローラ部材６０にディスク２００の搬入を停止させてローラ部材６０にディスク２００を搬出させるので、ローラ部材６０によるディスク２００の搬入動作が所定の時間以上続いたときにローラ部材６０にディスク２００の搬入を停止させるだけでローラ部材６０にディスク２００を搬出させない場合と比較して、２枚重ねられて挿入されたディスク２００をより確実に排出することができる。なお、制御部１６０は、ローラ部材６０によるディスク２００の搬入動作が所定の時間以上続いたときに、ローラ部材６０にディスク２００の搬入を停止させて、ローラ部材６０にディスク２００を搬出させるようになっているが、ローラ部材６０によるディスク２００の搬入動作が所定の時間以上続いたときに、ローラ部材６０にディスク２００の搬入を停止させるようになっているだけでも良い。
【００９８】
また、ディスク挿排装置１０は、案内部４１ａ、４１ｂと接触部分４２ａ、４２ｂとがディスクガイド部材４０という単一の部材によって構成されているので、案内部４１ａ、４１ｂと接触部分４２ａ、４２ｂとが別々の部材によって構成される場合と比較して、部品点数を低減することができる。
【００９９】
また、ディスク挿排装置１０は、弾性部１１３と弾性部１１４とが単一の弾性部材１１０によって構成されているので、弾性部１１３と弾性部１１４とが別々の弾性部材によって構成される場合と比較して、部品点数を低減することができる。更に、ディスク挿排装置１０は、弾性部１１３がディスク移動規制部材５０を付勢する力と、弾性部１１４がローラ移動規制部材８０を付勢する力とを固定板１００、カム板１２０、モータ１３０及び制御部１６０という単一の構成によって変更することができるので、弾性部１１３がディスク移動規制部材５０を付勢する力を変更する構成と、弾性部１１４がローラ移動規制部材８０を付勢する力を変更する構成とを別々に備える場合と比較して、弾性部１１３がディスク移動規制部材５０を付勢する力と、弾性部１１４がローラ移動規制部材８０を付勢する力とを簡単な構成で変更することができる。
【０１００】
同様に、ディスク挿排装置１０は、弾性部１１８と弾性部１１９とが単一の弾性部材１１５によって構成されているので、弾性部１１８と弾性部１１９とが別々の弾性部材によって構成される場合と比較して、部品点数を低減することができる。更に、ディスク挿排装置１０は、弾性部１１８がディスク移動規制部材５５を付勢する力と、弾性部１１９がローラ移動規制部材８５を付勢する力とを固定板１０５、カム板１２５、モータ１３０及び制御部１６０という単一の構成によって変更することができるので、弾性部１１８がディスク移動規制部材５５を付勢する力を変更する構成と、弾性部１１９がローラ移動規制部材８５を付勢する力を変更する構成とを別々に備える場合と比較して、弾性部１１８がディスク移動規制部材５５を付勢する力と、弾性部１１９がローラ移動規制部材８５を付勢する力とを簡単な構成で変更することができる。
【０１０１】
また、ディスク挿排装置１０は、本発明の搬送部材付勢手段を薄板バネ７０、７５で構成しているが、本発明の搬送部材付勢手段を薄板バネ７０、７５以外の部材で構成するようになっていても良い。例えば、ディスク挿排装置１０は、本発明の搬送部材付勢手段を引っ張りコイルバネや圧縮バネで構成するようになっていても良い。
【０１０２】
また、ディスク挿排装置１０は、ギヤ９０が本発明の回転力供給部を構成しているが、本発明の回転力供給部をギヤ９０以外の部材で構成するようになっていても良い。例えば、ディスク挿排装置１０は、プーリによって回転させられるベルトで本発明の回転力供給部を構成するようになっていても良い。
【０１０３】
なお、ディスク装置５は、２枚重ねられたディスク２００の挿入を防止する性能をディスク挿排装置１０が維持することができるので、２枚重ねられたディスク２００の挿入を防止する性能を維持することができないディスク挿排装置をディスク挿排装置１０に代えて備えた場合と比較して、２枚重ねられたディスク２００が挿入されることによる誤動作を長期間防止することができる。
【０１０４】
【発明の効果】
以上に説明したように、本発明によれば、複数枚重ねられたディスクが無理に挿入されたときでも性能を維持することができるディスク挿排装置を備えたディスク装置を提供することができる。
【図面の簡単な説明】
【図１】本発明の一実施の形態に係るディスク装置のディスク挿排装置の上面図
【図２】１枚のディスクが挿入された状態での図１に示すディスク挿排装置の一部の正面断面図
【図３】（ａ）１枚のディスクが挿入された状態での図２に示す部分の一部の正面断面図
（ｂ）１枚のディスクが挿入された状態での図２に示す部分の図３（ａ）に示す部分とは異なる一部の正面断面図
【図４】１枚のディスクが挿入された状態での図１に示すディスク挿排装置のうち図２に示す部分とは異なる一部の正面断面図
【図５】（ａ）１枚のディスクが挿入された状態での図４に示す部分の一部の正面断面図
（ｂ）１枚のディスクが挿入された状態での図４に示す部分の図５（ａ）に示す部分とは異なる一部の正面断面図
【図６】図１に示すディスク挿排装置の一部の側面断面図
【図７】図１に示すディスク挿排装置のブロック図
【図８】１枚のディスクが挿入された状態での図１に示すディスク挿排装置の上面図
【図９】１枚のディスクが挿入された状態での図１に示すディスク挿排装置のうち図６に示す部分とは異なる一部の側面断面図
【図１０】１枚のディスクが挿入された状態での図１に示すディスク挿排装置のうち図６及び図９に示す部分とは異なる一部の側面断面図
【図１１】図１に示すディスク挿排装置のうち図６、図９及び図１０に示す部分とは異なる一部の側面断面図
【図１２】（ａ）図１１に示す状態とは異なる状態での図１１に示す部分の側面断面図
（ｂ）図１２（ａ）に示す状態での図１に示すディスク挿排装置の一部の上面図
【図１３】２枚重ねられたディスクが挿入された状態での図１に示すディスク挿排装置の上面図
【図１４】２枚重ねられたディスクが挿入された状態での図４に示す部分の正面断面図
【図１５】（ａ）２枚重ねられたディスクが挿入された状態での図５（ａ）に示す部分の正面断面図
（ｂ）２枚重ねられたディスクが挿入された状態での図５（ｂ）に示す部分の正面断面図
【図１６】２枚重ねられたディスクが挿入された状態での図２に示す部分の正面断面図
【図１７】（ａ）２枚重ねられたディスクが挿入された状態での図３（ａ）に示す部分の正面断面図
（ｂ）２枚重ねられたディスクが挿入された状態での図３（ｂ）に示す部分の正面断面図
【図１８】（ａ）２枚重ねられたディスクが搬出される状態での図３（ａ）に示す部分の正面断面図
（ｂ）２枚重ねられたディスクが搬出される状態での図３（ｂ）に示す部分の正面断面図
【図１９】（ａ）２枚重ねられたディスクが搬出される状態での図５（ａ）に示す部分の正面断面図
（ｂ）２枚重ねられたディスクが搬出される状態での図５（ｂ）に示す部分の正面断面図
【符号の説明】
５  ディスク装置
１０  ディスク挿排装置
３０  基台（ディスク規制部材支持手段、搬送部材支持手段、搬送部材規制部材支持手段）
４０  ディスクガイド部材（第１ディスク規制部材）
４１ａ、４１ｂ  案内部
４２ａ、４２ｂ  接触部分（第１接触部分）
５０  ディスク移動規制部材（第２ディスク規制部材）
５１  接触部分（第２接触部分）
５５  ディスク移動規制部材（第２ディスク規制部材）
５６  接触部分（第２接触部分）
６０  ローラ部材（搬送部材）
６１ａ  接触部分（第３接触部分）
６２ａ、６３ａ  接触部分（第５接触部分）
６４ａ  接触部分（供給部接触部分）
７０、７５  薄板バネ（搬送部材付勢手段）
８０  ローラ移動規制部材（搬送部材規制部材）
８１  接触部分（第４接触部分）
８５  ローラ移動規制部材（搬送部材規制部材）
８６  接触部分（第４接触部分）
９０  ギヤ（回転力供給部）
９１  接触部分（搬送部材接触部分）
１００、１０５  固定板（ディスク規制付勢力変更手段、搬送部材規制付勢力変更手段、規制付勢力変更手段）
１１３  弾性部（ディスク規制部材付勢手段）
１１４  弾性部（搬送部材規制部材付勢手段）
１１８  弾性部（ディスク規制部材付勢手段）
１１９  弾性部（搬送部材規制部材付勢手段）
１２０、１２５  カム板（ディスク規制付勢力変更手段、搬送部材規制付勢力変更手段、規制付勢力変更手段）
１３０  モータ（ディスク規制付勢力変更手段、搬送部材規制付勢力変更手段、規制付勢力変更手段）
１６０  制御部（ディスク規制付勢力変更手段、搬送部材規制付勢力変更手段、規制付勢力変更手段、搬送制御手段）
２００  ディスク
【図１】
2005018889.tif 000003
【図２】
2005018889.tif 000004
【図３】
2005018889.tif 000005
【図４】
2005018889.tif 000006
【図５】
2005018889.tif 000007
【図６】
2005018889.tif 000008
【図７】
2005018889.tif 000009
【図８】
2005018889.tif 000010
【図９】
2005018889.tif 000011
【図１０】
2005018889.tif 000012
【図１１】
2005018889.tif 000013
【図１２】
2005018889.tif 000014
【図１３】
2005018889.tif 000015
【図１４】
2005018889.tif 000016
【図１５】
2005018889.tif 000017
【図１６】
2005018889.tif 000018
【図１７】
2005018889.tif 000019
【図１８】
2005018889.tif 000020
【図１９】
2005018889.tif 000021